(57)【要約】      （修正有）【課題】使用後のコードを適当な長さに束ね、その上に帯状の紐を数回回して穴に通して凹凸を穴の縁線に合わして結束する簡単電気コード結束器具の提供。【解決手段】電気コード結束本体の形状は平面を有する長方形の布地およびそれに相当する物体を使用して、二つ折りにするとＵ字型の形状をなし、両側の何れかの一辺の中央部分の位置に必要とする長さと幅を有する帯びたいを設け、その反対の天辺の位置と同じ位置より裏面に天辺の頂点まで面テープを設ける。対の一辺の表面中央部分にそれと合着出来る位置に必要な長さと幅の面テープを設ける。コードの差込プラグを固定するのにＵ形状の両側の何れかの一平面の天辺より必要な位置に必要とする処より下方向に必要とする形状を必要な位置の処までくり抜きを二箇所設ける、対の面も同じく、くり抜き形状を二箇所設ける。【選択図】図１
2007027071.tif 000002
【特許請求の範囲】
【請求項１】
電気コード結束本体の形状は平面を有する長方形の布地およびそれに相当する物体を使用して、二つ折りにするとＵ字型の形状をなし、両側の何れかの一辺の中央部分の位置に必要とする長さと幅を有する帯びたいを設け、その反対の天辺の位置と同じ位置より裏面に天辺の頂点まで面テープを設ける。対の一辺の表面中央部分にそれと合着出来る位置に必要な長さと幅の面テープを設ける。コードの差込プラグを固定するのにＵ形状の両側の何れかの一平面の天辺より必要な位置に必要とする処より下方向に必要とする形状を必要な位置の処までくり抜きを二箇所設ける、対の面も同じく、くり抜き形状を二箇所設ける。Ｕ形状内側は空洞に、コードを収納するスペースを持ち、Ｕ形状の底辺の表面の必要箇所に、の字形状用具を備えており、そこにコードを挿入して固定し一体となる。この一体物はコードに沿って移動が可能、左右側面には側底板を有しコードの導路を設けるのにＵ字形状にくり貫きをして、コードのばらつきを起こり難くした。、本体を使用現状に対応できる多機能、及び、形状の変化を付けることができる。本体を使用し易くする為に固定される対象物に、固定出来るように、必要な接着具を必要な処に付ける。
【発明の詳細な説明】
【技術分野】
【０００１】電気コード結束本体の形状は平面を有する長方形の布地およびそれに相当する物体を使用して、二つ折りにするとＵ字型の形状をなし、両側の何れかの一辺の中央部分の位置に必要とする長さと幅を有する帯びたいを設け、その反対の天辺の位置と同じ位置より裏面に天辺の頂点まで面テープを設ける。対の一辺の表面中央部分にそれと合着出来る位置に必要な長さと幅の面テープを設ける。コードの差込プラグを固定するのにＵ形状の両側の何れかの一平面の天辺より必要な位置に必要とする処より下方向に必要とする形状を必要な位置の処までくり抜きを二箇所設ける、対の面も同じく、くり抜き形状を二箇所設ける。Ｕ形状内側は空洞に、コードを収納するスペースを持ち、Ｕ形状の底辺の表面の必要箇所に、の字形状用具を備えており、そこにコードを挿入して一体となる。この一体物はコードに沿って移動が可能、本体を使用現状に対応できる多機能、及び、形状の変化を付けることができる。本体を使用し易くする為に固定される対象物に、固定出来るように、必要な接着具を必要な処に付ける。
［肯景技術］【０００２】電気コードを結束する用具は幾種類もあるが、その内一つは、ビニールを覆った紐状で、使用後のコードを適当な大きさに束ねて、その上にその紐を数回まわし、ねじてコードを結束する。又、平らな面を持つ帯状の紐の輪郭上に凹凸を付けその末端に穴又は空洞を設けていてそこにコードを巻くか、又、それに差込んでコードを固定している。
使用後のコードを適当な長さに束ねて、その上に帯状の紐を数回回して穴に通して凹凸を穴の縁線に合わして結束する、このような情景は結束するのに手間を取り、思うように美味く結束出来ずに辛い思いをする時がある。この様な不便さを解決する良い方法が無いかと思い、思考、工夫したのが本発明である。この件を使用する事によりコードを適当な長さに束ね其の侭袋状の空洞に入れ、差込みプラグを保持する処に入れて、面テープで合着挿すだけで、結束でき手間、時間を取らなくて済むので便利である。
［発明の開示］
［発明が解決しようとする課題］【０００３】電気コード結束本体の形状は平面を有する長方形の布地およびそれに相当する物体を使用して、二つ折りにするとＵ字型の形状をなし、両側の何れかの一辺の中央部分の位置に必要とする長さと幅を有する帯びたいを設け、その反対の天辺の位置と同じ位置より裏面に天辺の頂点まで面テープを設ける。対の一辺の表面中央部分にそれと合着出来る位置に必要な長さと幅の面テープを設ける。コードの差込プラグを固定するのにＵ形状の両側の何れかの一平面の天辺より必要な位置に必要とする処より下方向に必要とする形状を必要な位置の処までくり抜きを二箇所設ける、対の面も同じく、くり抜き形状を二箇所設ける。Ｕ形状内側は空洞に、コードを収納するスペースを持ち、Ｕ形状の底辺の表面の必要箇所に、の字形状用具を備えており、そこにコードを挿入して固定し一体となる。この一体物はコードに沿って移動が可能、左右側面には側底板を有し、コードの導路を設けるのにＵ字形状にくり貫きをして、コードのばらつきを起こり難くした、本体を使用現状に対応できる多機能、及び、形状の変化を付けることができる。本体を使用し易くする為に固定される対象物に、固定出来るように、必要な接着具を必要な処に付ける。
電気コードを結束する用具は幾種類もあるが、その内一つは、ビニールを覆った紐状で、使用後のコードを適当な大きさに束ねて、その上にその紐を数回まわし、ねじてコードを結束する。又、平らな面を持つ帯状の紐の輪郭上に凹凸を付けその末端に穴又は空洞を設けていてそこにコードを巻くか、又、それに差込んでコードを固定している。
使用後のコードを適当な長さに束ねて、その上に帯状の紐を数回回して穴に通して凹凸を穴の縁線に合わして結束する、このような情景は結束するのに手間を取り、思うように美味く結束出来ずに辛い思いをする時がある。この様な不便さを解決する良い方法が無いかと思い、思考、工夫したのが本発明である。この件を使用する事によりコードを適当な長さに束ね其の侭袋状の空洞に入れ、差込みプラグを保持する処に入れて、面テープで合着挿すだけで、結束でき手間、時間を取らなくて済むので便利である。
［課題を解決するための手段］【０００４】電気コード結束本体の形状は平面を有する長方形の布地およびそれに相当する物体を使用して、二つ折りにするとＵ字型の形状をなし、両側の何れかの一辺の中央部分の位置に必要とする長さと幅を有する帯びたいを設け、その反対の天辺の位置と同じ位置より裏面に天辺の頂点まで面テープを設ける。対の一辺の表面中央部分にそれと合着出来る位置に必要な長さと幅の面テープを設ける。コードの差込プラグを固定するのにＵ形状の両側の何れかの一平面の天辺より必要な位置に必要とする処より下方向に必要とする形状を必要な位置の処までくり抜きを二箇所設ける、対の面も同じく、くり抜き形状を二箇所設ける。Ｕ形状内側は空洞に、コードを収納するスペースを持ち、Ｕ形状の底辺の表面の必要箇所に、の字形状用具を備えており、そこにコードを挿入して固定し一体となる。この一体物はコードに沿って移動が可能、左右側面には側底板を有し、コードの導路を設けるのにＵ字形状にくり貫きをして、コードのばらつきを起こり難くした、本体を使用現状に対応できる多機能、及び、形状の変化を付けることができる。本体を使用し易くする為に固定される対象物に、固定出来るように、必要な接着具を必要な処に付ける。
電気コードを結束する用具は幾種類もあるが、その内一つは、ビニールを覆った紐状で、使用後のコードを適当な大きさに束ねて、その上にその紐を数回まわし、ねじてコードを結束する。又、平らな面を持つ帯状の紐の輪郭上に凹凸を付けその末端に穴又は空洞を設けていてそこにコードを巻くか、又、それに差込んでコードを固定している。
使用後のコードを適当な長さに束ねて、その上に帯状の紐を数回回して穴に通して凹凸を穴の縁線に合わして結束する、このような情景は結束するのに手間を取り、思うように美味く結束出来ずに辛い思いをする時がある。この様な不便さを解決する良い方法が無いかと思い、思考、工夫したのが本発明である。この件を使用する事によりコードを適当な長さに束ね其の侭袋状の空洞に入れ、差込みプラグを保持する処に入れて、面テープで合着挿すだけで、結束でき手間、時間を取らなくて済むので便利である。
［発明の効果］【０００５】電気コード結束本体の形状は平面を有する長方形の布地およびそれに相当する物体を使用して、二つ折りにするとＵ字型の形状をなし、両側の何れかの一辺の中央部分の位置に必要とする長さと幅を有する帯びたいを設け、その反対の天辺の位置と同じ位置より裏面に天辺の頂点まで面テープを設ける。対の一辺の表面中央部分にそれと合着出来る位置に必要な長さと幅の面テープを設ける。コードの差込プラグを固定するのにＵ形状の両側の何れかの一平面の天辺より必要な位置に必要とする処より下方向に必要とする形状を必要な位置の処までくり抜きを二箇所設ける、対の面も同じく、くり抜き形状を二箇所設ける。Ｕ形状内側は空洞に、コードを収納するスペースを持ち、Ｕ形状の底辺の表面の必要箇所に、の字形状用具を備えており、そこにコードを挿入して固定し一体となる。この一体物はコードに沿って移動が可能、左右側面には側底板を有し、コードの導路を設けるのにＵ字形状にくり貫きをして、コードのばらつきを起こり難くした、本体を使用現状に対応できる多機能、及び、形状の変化を付けることができる。本体を使用し易くする為に固定される対象物に、固定出来るように、必要な接着具を必要な処に付ける。
電気コードを結束する用具は幾種類もあるが、その内一つは、ビニールを覆った紐状で、使用後のコードを適当な大きさに束ねて、その上にその紐を数回まわし、ねじてコードを結束する。又、平らな面を持つ帯状の紐の輪郭上に凹凸を付けその末端に穴又は空洞を設けていてそこにコードを巻くか、又、それに差込んでコードを固定している。
使用後のコードを適当な長さに束ねて、その上に帯状の紐を数回回して穴に通して凹凸を穴の縁線に合わして結束する、このような情景は結束するのに手間を取り、思うように美味く結束出来ずに辛い思いをする時がある。この様な不便さを解決する良い方法が無いかと思い、思考、工夫したのが本発明である。この件を使用する事によりコードを適当な長さに束ね其の侭袋状の空洞に入れ、差込みプラグを保持する処に入れて、面テープで合着挿すだけで、結束でき手間、時間を取らなくて済むので便利である。
［発明を実施するための最良の形態］【０００６】電気コード結束本体の形状は平面を有する長方形の布地およびそれに相当する物体を使用して、二つ折りにするとＵ字型の形状をなし、両側の何れかの一辺の中央部分の位置に必要とする長さと幅を有する帯びたいを設け、その反対の天辺の位置と同じ位置より裏面に天辺の頂点まで面テープを設ける。対の一辺の表面中央部分にそれと合着出来る位置に必要な長さと幅の面テープを設ける。コードの差込プラグを固定するのにＵ形状の両側の何れかの一平面の天辺より必要な位置に必要とする処より下方向に必要とする形状を必要な位置の処までくり抜きを二箇所設ける、対の面も同じく、くり抜き形状を二箇所設ける。Ｕ形状内側は空洞に、コードを収納するスペースを持ち、Ｕ形状の底辺の表面の必要箇所に、の字形状用具を備えており、そこにコードを挿入して固定し一体となる。この一体物はコードに沿って移動が可能、左右側面には側底板を有し、コードの導路を設けるのにＵ字形状にくり貫きをして、コードのばらつきを起こり難くした、本体を使用現状に対応できる多機能、及び、形状の変化を付けることができる。本体を使用し易くする為に固定される対象物に、固定出来るように、必要な接着具を必要な処に付ける。
電気コードを結束する用具は幾種類もあるが、その内一つは、ビニールを覆った紐状で、使用後のコードを適当な大きさに束ねて、その上にその紐を数回まわし、ねじてコードを結束する。又、平らな面を持つ帯状の紐の輪郭上に凹凸を付けその末端に穴又は空洞を設けていてそこにコードを巻くか、又、それに差込んでコードを固定している。
使用後のコードを適当な長さに束ねて、その上に帯状の紐を数回回して穴に通して凹凸を穴の縁線に合わして結束する、このような情景は結束するのに手間を取り、思うように美味く結束出来ずに辛い思いをする時がある。この様な不便さを解決する良い方法が無いかと思い、思考、工夫したのが本発明である。この件を使用する事によりコードを適当な長さに束ね其の侭袋状の空洞に入れ、差込みプラグを保持する処に入れて、面テープで合着挿すだけで、結束でき手間、時間を取らなくて済むので便利である。
【図面の簡単な説明】
【０００７】
【図１】Ｕ字型の本体を開いた平面図、および、本発明の斜視図
【符号の説明】
【０００８】  １    発明品に電気コードがの字形状に保持されている図
２    Ｕ字型本体と一連になっている帯びたいで対と合着している図
３    電気コードプラグを保持する場所
４    本体の内部空洞内に入っているコード
５    本体の底辺に付いているコードを保持する、の字形状図
６    コードプラグを保持する形状図
７    固定される対象物と本体を固定するための接着具を付ける位置
８    本体Ｕ字形状を平面にした図
９    本体の一辺の中央より前へ出ている面テープを持った帯びたい
１０    （６）により保持されている電気コードプラグ
１１    左右Ｕ字型の、くり貫き形状を有する側底板
１２    Ｕ字型のくり貫き形状（コードを導く路）
１３    電気コード
【図１】
2007027071.tif 000003